(57)【要約】【課題】  身体の一部に巻き付けた状態でエアーを供給してマッサージを行うことが出来るエアーマッサージバンドであって、マッサージ効果と共に指圧効果を得ることが出来る携帯用エアーマッサージバンドの提供。【解決手段】  エアーマッサージバンドのバンド本体１にはエアー袋８を形成し、エアー袋表面には複数個の小さな凸部３，３・・を取付け、エアー袋８に設けたエアー口９にはエアーポンプを接続している。そして、凸部３の頂部には磁石１４を設けている。【選択図】    図３
2005348865.tif 000002
【特許請求の範囲】
【請求項１】
身体の一部に巻き付けた状態でエアーを供給してマッサージを行うことが出来るエアーマッサージバンドにおいて、該エアーマッサージバンドのバンド本体にはエアー袋を形成し、エアー袋表面には複数個の小さな凸部を取付け、エアー袋に設けたエアー口にはエアーポンプを接続したことを特徴とする携帯用エアーマッサージバンド。
【請求項２】
上記エアー袋を構成するビニールシートにクビレを形成した軸芯を固定し、該軸芯にはクビレを介してリングを取付け、そして該リング外周に設けた突片に概略半球の凸部を係合して取付け、しかも凸部の頂部には磁石を備えた請求項１記載の携帯用エアーマッサージバンド。
【請求項３】
上記エアーポンプとしてヒストン式電動エアーポンプを用い、エアー袋に充填したエアーを出し入れすることで該エアー袋の膨張・収縮を繰返し可能とした請求項１、又は請求項２記載の携帯用エアーマッサージバンド。
【発明の詳細な説明】
【技術分野】
【０００１】
本発明は、エアーを送り込んでマッサージ及び指圧を行うことが出来るエアーバンドに関するものである。
【背景技術】
【０００２】
マッサージとは、手又は特殊な機器を用いて体を擦り、揉み、叩くなどして行う治療であり、血行をよくして疲労を取除き、筋肉の機能を高めることが出来、又神経の興奮を静める効果がある。一方では美容を目的としてマッサージを行う場合も多い。指圧とは無数に存在するツボを指などで揉み・叩きなどして神経を刺激し、血行をよくする治療である。
【０００３】
本発明は指圧を伴うマッサージを行う為に使用する特殊な機器に関するものであり、その使用目的は健康増進であったり、美容であっても構わない。ところで、今日マッサージを行うことが出来る機器は多種多様で、数多くのものが市販されている。しかし、一般的なマッサージ機器は大型であり、所定の場所に設置されていて、持ち歩き出来るものではない。
【０００４】
特開２００３−５２７７８号に係る「携帯用健康美容バンド」は、携帯して何所でも使用可能なように構成している。すなわち、脚部などを空気加圧式により、加圧と解放を繰り返すことにより、血液の環流を促進させ、脚部血液滞留を和らげることを目的とし、携帯に便利な小型化、かつコストの低減を図り、健康美容などに寄与するとしている。
【０００５】
そこで、２枚のビニールシートの端を袋状に溶着し、空気取入孔と空気が少しづつ抜けるように小さなピンホールを設け、ふくらみ過ぎないようにする為に線状に数箇所溶着してカバーを付し、マジックテープ(登録商標)で脚部に固定し、脚部などをエアーポンプによる空気圧によってマッサージすることが出来る。
【特許文献１】特開２００３−５２７７８号に係る「携帯用健康美容バンド」
【発明の開示】
【発明が解決しようとする課題】
【０００６】
上記「携帯用健康美容バンド」は、エアーを送りリ込むことで脚部など全体を締付けてマッサージすることが出来る。本発明は脚部などを締付けてマッサージすることが出来ると共に、指圧機能を備えた携帯用エアーマッサージバンドを提供する。
【課題を解決するための手段】
【０００７】
本発明に係る携帯用エアーマッサージバンドは、２枚のビニールシートの縁部を溶着して袋状に構成し、表面には小さな凸部を配列している。該凸部は樹脂製の概略半球体を成し、頂部には磁石を取付けている。そして、バンドは脚部や腕部などに捲き付けることが出来るように、両端にはマジックテープ(登録商標)などの締結部材が備わっている。
【０００８】
ところで、身体に巻き付いたバンド本体のエアー袋にエアーが供給されるならば、エアー袋は膨張して凸部は肌を押圧し、マッサージを行うと共に指圧することが出来る。ここで、エアーを送り込む為の手段は限定しないことにし、手動のエアーポンプを接続する場合、又は電動エアーポンプを接続する場合もある。そして、電動エアーポンプを使用する場合には、断続的に指圧するようにエアーを送り込むことが出来る。
【発明の効果】
【０００９】
本発明に係るエアーマッサージバンドは表面に凸部を取付けている為に、エアーを送り込むことでマッサージを行うと共に、小さな凸部が身体のツボを押して指圧効果を得ることが出来る。しかも、凸部先端には磁石が設けられていることで、該磁石から放出される磁気力が身体に作用して、指圧効果を助長することが出来る。
【００１０】
一方、電動のエアーポンプを接続することで、バンド本体のエアー袋へエアーを断続的に供給することが出来、その結果、指圧の強弱を繰り返すことが可能となり、指圧効果は著しく向上する。この場合、エアー袋に充填されるエアー圧を調整することで適度な指圧力が得られる。
【実施例】
【００１１】
図１は本発明に係る携帯用マッサージバンドを示す実施例であり、同図の１はバンド本体、２は締結ベルト、３は凸部を各々表している。バンド本体１は薄いビニールシートで構成され、しかも２枚のビニールシートが貼り合わされてエアー袋を有している。従って、エアーを供給するならばエアー袋は膨張して表面に取付けている小さな凸部３，３・・を身体のツボに押圧することが出来る。
【００１２】
(ａ)は携帯用マッサージバンドの表側であり、(ｂ)は裏側を表しているように、裏側には３本の締結ベルト２，２，２が取付けられ、該締結ベルト２，２，２の基部には角形リング４，４，４を備えている。そこで、バンド本体１２を脚部に捲き付けると共に、締結ベルト２，２，２にて外れ落ちないように締結することが出来る。すなわち、脚部に巻き付いたバンド本体１の外側を捲いて角形リング４，４，４を挿通して折り返して止着する。
【００１３】
図２は脚部５にマッサージバンドを巻き付けた場合を示しているように、締結ベルト２，２，２にて適度な強さに締め付け、この状態でバンド本体１へエアーを送り込むことが出来、エアー袋が膨張して脚部５はマッサージされる。
【００１４】
図３、図４はバンド本体１を示す詳細図であり、図３は表面側、図４は裏面側を表している。バンド本体１は長方形の２枚のビニールシート６ａ，６ｂが重ね合わされて縁部７，７・・は溶着され、中央部にはエアー袋８を形成している。そして、エアー袋８の表面には小さな半球の凸部３，３・・が取付けられ、該凸部３，３・・は縦方向及び横方向に等間隔で配列されている。
【００１５】
そしてエアー袋８にはエアー口９からエアーが供給されて上記エアー袋８が膨張する。前記図２に示すように脚部５に巻き付けてエアーを送り込むならば、エアー袋８が膨らんで脚部５を締付け、凸部３，３・・は肌に食い込んで指圧することになる。図４に示すごとく、裏側には３本の締結ベルト２，２，２が取付けられ、先端に設けているマジックテープ１０，１０，１０の部分が角形リング４，４，４を挿通すると共に折り返して固定される。
【００１６】
図５は凸部３の平面図、縦断面図、横断面図を表している。表面側のビニールシート６ａには軸芯１１が固定され、該軸芯１１にはリング１２を取着し、クビレに嵌って外れないような構造と成っている。そして、該リング１２の外周には突片１３，１３・・が設けられ、概略半球の凸部３はリング１２に嵌って取付けられると共に、突片１３，１３・・に係合することで外れないように、また回転しないように成っている。
【００１７】
凸部３の頂部には磁石１４が固定され、該磁石１４から発する磁気力は凸部３の外へ作用する。そして、凸部３によるマッサージ及び指圧効果を一段と向上させることが出来る。
【００１８】
図６はバンド本体１へエアーを送り込む為の電動ポンプを表している。本発明はエアー供給手段としてのエアーポンプの形態を限定するものではなく、手動エアーポンプを使用することも可能である。同図に示す電動ポンプは小型モータ１５によってクランク軸１６を回転し、該クランク軸１６と連結しているシャフト１７はエアシリンダー１８内のピストン１９を往復摺動させることが出来る。
【００１９】
上記シャフト１７とピストンロッド２０とはジョイント２１を介して繋がっており、ピストン１９が前進(左側へ移動)摺動することで、エアーを送り出し、バンド本体１のエアー口９からエアーを供給することが出来る。そして、ピストン１９が後退(右側へ移動)するならば、バンド本体１からエアーが抜けることになる。
【００２０】
エアシリンダー１８にはエアー取入れ口２２が設けられ、バンド本体１内にエアーが充填されたところで、上記エアー取入れ口２２を閉じ、この状態でエアーポンプを駆動させるならば、バンド本体１のエアー袋８はエアー供給及び抜き取りによって、膨張と収縮を繰り返すことが出来る。従って、バンドを身体に巻き付けてポンプを駆動することで、表面の凸部３，３・・が身体を適度な押圧し、指圧することが出来る。
【００２１】
この指圧力はバンド本体１のエアー袋８に充填されるエアー圧によって調整することが出来る。勿論、手動ポンプを接続する場合にも指圧を行うことは出来るが、一定時間にわたって指圧を維持することが可能であり、電動ポンプの場合にはモータを停止すれば同じように一定圧の指圧を持続することが出来る。
【図面の簡単な説明】
【００２２】
【図１】携帯用エアーマッサージバンド。
【図２】脚部に巻き付けたエアーマッサージバンド。
【図３】バンド本体の表面。
【図４】バンド本体の裏面。
【図５】バンド本体表面に取付けられる凸部構造。
【図６】電動エアーポンプ。
【符号の説明】
【００２３】
１  バンド本体
２  締結ベルト
３  凸部
４  角形リング
５  脚部
６  ビニールシート
７  縁部
８  エアー袋
９  エアー口
10  マジックテープ
11  軸芯
12  リング
13  突片
14  磁石
15  小型モータ
16  クランク軸
17  シャフト
18  エアシリンダー
19  ピストン
20  ピストンロッド
21  ジョイント
22  エアー取入れ口
【図１】
2005348865.tif 000003
【図２】
2005348865.tif 000004
【図３】
2005348865.tif 000005
【図４】
2005348865.tif 000006
【図５】
2005348865.tif 000007
【図６】
2005348865.tif 000008